(57)【要約】  本発明は、親指と人差し指間の「皮膚接触長さ」を延長するように、ゴルフグローブの親指被覆部を除去することによって、正しいグリップと好適なスイングを誘発するゴルフクラブである。親指の被覆部が存在しないので、遠心力がゴルフクラブによって付与されると、グローブ被覆部が親指部から手のひら部に向かって伸長するという構造上の問題点が発生する可能性もある。グローブ被覆部が伸長された場合にクラブがグリップされると、被覆部は折り重ねるようになる。これは、グローブの着用時に左手の親指の引っ張り、正しくないグリップの原因となる。従って、伸長に対する弾性を提供するために、羊革の代わりに、伸長しやすい領域が、優れた弾性と可撓性を有するスパンデックス材料で加工されるものである。
2010511470.tif 000002
【特許請求の範囲】
【請求項１】
正しいグリップと好適なスイングを行えるゴルフグローブであって、親指の被覆部が欠如し、開口部（３２）が形成され、当該開口部が、親指（１０）と人差し指（２０）が広げられるときに親指（１０）と人差し指（２０）間に形成する低点（Ｏ）の中心に位置決めされ、前述の開口部（３２）の縁部の方向が親指の周囲方向寄りの線上またはその下に位置し、さらに、親指の被覆部（３０）が欠如する前述のグローブを着用すると、人差し指（２０）の付け根の底部と親指（１０）の第２関節が「皮膚接触長さ」（ｄ）にわたって緊密に皮膚接触し、親指の基底面もゴルフクラブ（４０）のハンドルに直接皮膚接触することを特徴とする従来の親指なしゴルフグローブを含むことを特徴とする、正しいグリップと好適なスイングを行えるゴルフグローブ。
【請求項２】
皮膚接触穴（３５）が、人差し指（２０）の付け根の底部と親指（１０）の第２関節間の当該「皮膚接触長さ」（ｄ）に対応する人差し指（２０）の付け根の底部に形成され、結果として親指の第２関節の皮膚に直接接触することを特徴とする請求項１の正しいグリップと好適なスイングを行えるゴルフグローブ。
【請求項３】
親指の被覆部（３０）が欠如しているグローブにおける記開口部（３２）の基部の下にある「Ｐ」領域が、優れた可撓性と弾性を有するスパンデックス材料（３９）からなることを特徴とする請求項１または請求項２の正しいグリップと好適なスイングを行えるゴルフグローブ。
【請求項４】
親指の被覆部（３０）が欠如しているグローブにおける開口部（３２）の付け根の下にある「Ｐ」領域が優れた可撓性と弾性を有するスパンデックス材料（３９）からなり、「Ｐ１」領域では、２層構造を形成するために、スパンデックスの上にグローブの皮革が被装されることを特徴とする請求項１または請求項２の正しいグリップと好適なスイングを行えるゴルフグローブ。
【請求項５】
２〜３の縫い目数の伸長防止縫合部（３７ａ）が、人差し指（２０）に向かって親指（１０）と人差し指（２０）間の低点（Ｏ）に並列に形成されることを特徴とする請求項３または請求項４の正しいグリップと好適なスイングを行えるゴルフグローブ。
【請求項６】
親指の被覆部（３０）が欠如しているグローブにおける開口部（３２）の付け根の底部にある「Ｐ」領域が優れた可撓性と弾性を有するスパンデックス材料（３９）からなり、２層構造を形成する「Ｐ１」領域のスパンデックス上の皮革部に複数の切り込み部（３１）が形成されることを特徴とする請求項３または請求項４の正しいグリップと好適なスイングを行えるゴルフグローブ。
【発明の詳細な説明】
【技術分野】
【０００１】
本発明は、正しいグリップによって好適なスイングを誘発するゴルフグローブに関する。特には、本発明の目的は、ゴルファーの親指と人差し指とが「皮膚接触長さ」（ｄ）にわたって皮膚接触状態にあるかどうかをゴルファーが触感することができ、その親指と人差し指とが「皮膚接触長さ」（ｄ）にわたって皮膚接触することで得られる正しいグリップによって好適なスイングを誘発できるようにすることにある。つまり、本発明は、バックスイングによるアドレスの位置からインパクトに至るまで正しいグリップを維持することによって好適なスイングを得ることを目指すゴルフグローブに関する。
【背景技術】
【０００２】
一般にゴルフではスイングによってボールをその所望の方向と距離に飛ばす。スイングとは、クラブを振ってボールを打つ動作のことである。クラブとゴルファーの身体は手によってリンクされる。よって、クラブをスイングすることは、ゴルファーの腕をスイングすることである。正確さが必要な活動であるゴルフには、その他の注意力を必要とする活動と比べて、より高度な注意力、集中力、及び反射神経が求められる。これはゴルファーが静止状態のボールに焦点を絞りながら、その目標を想定して計画しなければならないからである。
【０００３】
スイングは単一動作であるが、以下の一連の動作からなる。
【０００４】
アドレス⇒バックスイング⇒バックスイングのトップ⇒ダウンスイング⇒インパクト⇒フォロースルー⇒フィニッシュ
【０００５】
（Ａ）  アドレスの位置
【０００６】
「アドレスの位置」とは、正しいスイングの準備として行う身体のプリスイングで取るスタンスを意味する。つまり、アドレスとは、スイング動作のための静止状態の開始姿勢である。
【０００７】
言い換えれば、アドレスとは、静止状態のボールの現位置と目標位置とが評価され、その距離に適したクラブが選択され、しかも、飛球方向とクラブのフェース面が設定された位置である。とりわけ、グリップはアドレスの位置で完成される。
【０００８】
アドレスの位置が打球の基礎を敷くことから、コースでの予期しないミスショットのほとんどはアドレスに起因する。間違った飛球方向を引き起こすアドレスの主な要因はグリップであり、間違った飛球方向は一般に正しくないグリップに起因し、正しいグリップは好適なスイングにつながる。
【０００９】
（Ｂ）  バックスイング及びバックスイングのトップ
【００１０】
バックスイングは、クラブ（手と腕を含む）とクラブのフェース面の運動によって力を集結する動作である。バックスイングはバックスイングのトップで停止する。バックスイングのトップは、クラブの重量がグリップによって支えられるポイントである。クラブの重量は重力方向に引き寄せられるので、グリップは左手の親指がクラブの重量を重力方向に対して支えるように形成される。左手の親指がクラブを重力方向に対して支えることができない場合、グリップはクラブの重量をバックスイングのトップで支えることができない。従って、優れたグリップと悪いグリップとの違いは、左手の親指がクラブを下から支えられるかどうかによって決まる。左手の親指が支持位置からわずかでも逸脱すると、グリップはクラブの重量を支えることができなくなり、クラブ下方に滑り出してしまう。
【００１１】
（Ｃ）  ダウンスイング及びインパクト
【００１２】
ダウンスイング動作では、バックスイングで集結された力が緩慢に放出され、インパクト時（打球時）にフォロースルーが起こる。
【００１３】
（Ｄ）  フィニッシュ
【００１４】
フィニッシュで、スイングはダウンスイングに続いてクラブヘッドがボールを打った後に完了する。
【００１５】
ゴルフスイングの要素は、クラブ（手と腕を含む）とクラブのフェース面を移動することによるバックスイングでの力の集結と、それに続く、最大の力と速度で打球できるようにダウンスイングで力を徐々に放出することである。つまり、バックスイングは、力を集結するように、身体、腕、手、クラブ及びクラブのフェース面を正しく動作させる開始動作でなければならず、ダウンスイングは、集結された力が緩慢に放出され、クラブとクラブのフェース面がアドレスの位置で保持した位置に戻る終了動作でなければならない。適正速度でスイングし、ボールを目標に向けて打つことは、力を集結するためにバックスイングで開かれた動作がダウンスイングで正しく閉じられる場合にのみ可能である。
【００１６】
ほとんどのアマチュア・ゴルファーは、バックスイングでは身体、腕、手、クラブ及びクラブのフェース面を比較的良好に開くが、ダウンスイングで力を放出して動作を閉じることに適正を欠き、そのスイングはクラブのフェース面を正しく閉じない。
【００１７】
力が放出される際に開いたクラブのフェース面を正しく閉じることに失敗する原因はスイングを構成する個々の動作追求しなければならないが、かかる原因のほとんどがグリップにあることはゴルファーの間で周知されている。スイング動作とダウンスイング動作には大きい筋肉を使うが、グリップ動作には比較的に細い筋肉が使用される。その理由は、大きい筋肉は運動記憶を長い期間にわたって保持するが、小さい筋肉の運動記憶は長く持続しないという事実にある。つまり、大きい筋肉は同じ動作を保持できるが、小さい筋肉は特定の注意を払っても同じ動作を維持しない。
【００１８】
以下、正しいグリップと正しくないグリップを考察する。
【００１９】
正しいグリップは好適なスイングにつながる。ここで、「好適なスイング」とは、飛球方向が正確に目標方向に向かうショットを実現するスイングを示す。これは、望まれる好適なスイングの種類であるが、正しくないグリップが好適なスイングを実現する可能性は低い。
【００２０】
ゴルフクラブの製造技術の発展はスイングパターンに変化をもたらした。
しかしながら、その反面、グリップ、アドレスの位置などの他の基本的な動作には大きな変化がない。ゴルフのスイングでは、グリップが最も基本的な要素である。
【００２１】
だが、ほとんどのアマチュア・ゴルファーはグリップの重要性を意識しておらず、ほとんどのアマチュア・ゴルファーはスイングの改善を志向するばかりで、グリップを検討していない。これは、プロのゴルファーの場合と対照的であり、プロゴルファーは一様にグリップを点検することから始めている。
【００２２】
グリップ位置はスイングの成果に多大な影響をおよぼす。グリップにおける最も一般的な欠陥は、人差し指の付け根の底部と親指の第２関節との皮膚接触の長さにある。クラブハンドル上でグリップが人差し指の付け根の底部と親指の第２関節とが分離しているような場合は、両手相互間のスペースが過大であり、クラブハンドルが手から滑り出てしまう。このようなグリップでは、両手が接触状態になく、スイング時にクラブが手中で回転してしまう。加えて、このグリップには、強力なスイング時に手首が回転し過ぎると共にそのインパクトが正確でないという問題がある。インパクトが正確でない場合には飛球距離と飛球方向とは正しくない。
【００２３】
好適なスイングを得るための正しいグリップは、人差し指の付け根の底部が親指の第２関節に接触するグリップである（図５と図６を参照）。このように両手を合わせるようにするグリップ形態は以下に図を参照して説明できる。
【００２４】
（１）まず、図５に示すように、両手を１つに合わせる準備位置では、各手の親指と人差し指は接触していなければならない。
【００２５】
さらに、「人差し指（２０）の付け根の底部と親指（１０）の第２関節とが出会っている状態」は以下に説明できる。
【００２６】
親指（１０）は、他の４本の指とは異なり最底部位置に位置付けられる。加えて、それは人差し指（２０）よりも短い。
【００２７】
「人差し指（２０）の付け根の底部と親指（１０）の第２関節とが出会う状態」とは、人差し指（２０）の第３関節は接触していないが、その代わりに人差し指（２０）の付け根の底部が親指（１０）の第２関節に緊密に皮膚接触していることを意味する。
【００２８】
これは、以下に図５と図６を参照してより詳細に説明できる。
【００２９】
親指の第１関節（１０）を（Ｓ１）として示し、人差し指（２０）の第３関節を（Ｓ３）として示し、人差し指（２０）と親指（１０）間の点を（Ｏ）として示し、（ＯＳ１）の長さを（ｌ）として示す。
【００３０】
人差し指（２０）の付け根の底部と親指（１０）の第２関節間の緊密な皮膚接触（ｄ）の長さは、前記点（Ｏ）で、（式）ｄ=（１/２〜３/４）□ｌとして表現できるが、親指（１０）の長さと人差し指（２０）の長さが個人によってさまざまであるため、厳密な値はさまざまである。
【００３１】
正しいグリップのための緊密な皮膚接触の最適長さは、ｄ=２/３□ｌである。
【００３２】
この、人差し指の付け根の底部と親指の第２関節間の緊密な皮膚接触の長さは、以下「皮膚接触長さ」（ｄ）と呼ぶ。
【００３３】
人差し指の付け根の底部は（Ｓ３）の底部、人差し指（２０）の第３関節を特に意味する。
【００３４】
（２）以下の動作では、左手はクラブ（４０）のハンドルを把持することなしに右手に接触する。左手の親指と右の手のひらの生命線はパズル片のように組み合う。
【００３５】
（３）本グリップでは、左手の親指の屈曲背部と右の手のひらの肉厚部とが合わせられる。（図６）
【００３６】
専門家は、本グリップをこのようにクラブなしで両手だけを用いて時と場所を問わずに練習するように推奨している。これは、ゴルフではグリップが最も基本的な要素ではあるが、繰り返し行う練習によっても正しいグリップを維持することは如何に困難であるかを示す。１本の指の位置を正しい位置から別の位置に変更するだけで奇妙な感覚が喚起されることもあり、適正な打球ができなくなる原因となることは体験から学ぶことである。
【００３７】
正しいグリップが親指（１０）と人差し指（２０）とを「皮膚接触長さ」（ｄ）で皮膚接触状態にするグリップである限り、親指（１０）と人差し指（２０）とは意識的に「皮膚接触長さ」（ｄ）にわたって密接な接触状態を保たなければならない。
【００３８】
正しいグリップとは、単に好適なスイングが得られるグリップだけを意味するものではなく、両手をしっかりと合わせるグリップでもある。これは、正しいグリップではスイング時にクラブが手中で回転しないためである。
【００３９】
「皮膚接触長さ」（ｄ）が保たれた状態でグリップが完了した後にバックスイングが続く。
【００４０】
ここで、バックスイングのトップにおける親指（１０）の役割を考察する。
【００４１】
バックスイングのトップにおける親指（１０）の役割は、クラブの全重量を支えることである。
【００４２】
正しいグリップでは、親指（１０）が「皮膚接触長さ」（ｄ）にわたって人差し指（２０）の付け根の底部に対して押圧されることが必要なため、この状態はバックスイングのトップにおいてさえも維持されなくてはならない。
【００４３】
バックスイングのトップにおいてクラブ（４０）の重量が重力方向に引き寄せられるため、親指（１０）は重力方向に対向する方向に支持を提供しなければならない。親指（１０）の方向が重力方向に完全に一致する場合にのみ、親指は最小の負荷を最も快適に支えることができる。親指による支持が最も快適な様式で提供される限りは、同じグリップによるアドレスは完全に保たれる。
【００４４】
しかしながら、親指（１０）の方向がわずかでも重力方向に対向する方向から逸脱すると、親指（１０）は支持を維持するために、逸脱分に比例して増加した力を必要とする。これは、親指が傾斜する分だけ、重力方向に対してクラブ（４０）の重量を支えるためにより大きな垂直力が必要になるためである。
【００４５】
親指（１０）は、比例して増加した負荷（緊張）のために不快を感じる。
【００４６】
この状態では、最も負担が少なく最も快適な支持方向は重力方向である。従って、傾斜した親指（１０）は無意識のうちに重力方向に向かって位置や方向を変える。手は、親指（１０）を移動することによって、クラブ（４０）のハンドルを重力方向に把持するように移動するように促される。
【００４７】
従って、親指（１０）の移動のために、アドレスの位置のグリップを最終的にバックスイングのトップで保つことができない。親指の移動のために、クラブ（４０）ヘッドの方向も変化する。
【００４８】
アドレスの位置からバックスイングのトップまで同じグリップが保たれない場合、好適なスイングを行える可能性は低い。
【００４９】
つまり、親指（１０）がバックスイングのトップで移動する場合、グリップする手の位置は変わり、スイングが行われる際にクラブ（４０）ヘッドはスクエアにボールをインパクトしない。ボールがスクエアにインパクトされないため、ボールは目標方向に飛ばずにミスショットが起こる。
【００５０】
ミスショットの主な原因はグリップにあると言える。
【００５１】
これは、ゴルフの専門家がグリップの重要性を強調する理由でもある。
【００５２】
以下に、ミスショットとグリップ間の関連性を考察する。
【００５３】
正しいグリップが親指（１０）と人差し指（２０）とを意識的に合わせるグリップであると同様、正しくないグリップとは親指（１０）と人差し指（２０）とを合わせられずに離間させてしまうグリップである。
【００５４】
しかしながら、正しいグリップと正しくないグリップとの違いは容易に感知されるものではない。これは、ゴルファーがわずかでも不快を感じると、無意識に快適さを求める傾向があるためである。
【００５５】
そのため、アドレスの位置からバックスイングのトップを経由してインパクトの瞬間に至るまで親指（１０）と人差し指（２０）間の「皮膚接触長さ」（ｄ）を維持することはさほど容易でない。
【００５６】
親指（１０）と人差し指（２０）の筋肉は、肩部や背部の筋肉と比べるとはるかに小さい。かかる小さい筋肉にとっては、クラブ（４０）の重量を支えることですら大きな負担である。バックスイングのトップにおいて、クラブ（４０）の重量を支えながら、親指（１０）と人差し指（２０）とを共に保つことは特に困難である。親指（１０）がクラブ（４０）の重量による負担を感じ始め次第、親指（１０）は可能な限り無意識に最も快適な位置に移動する。これは一般的な知識である。
【００５７】
単に親指（１０）を人差し指（２０）から離間させるだけで、親指（１０）と人差し指（２０）とを快適にすることができる。
【００５８】
これは、親指（１０）と人差し指（２０）とを合わせることが快適であるならば、親指（１０）と人差し指（２０）とを意識的に合わせるように努める必要はないためである。しかしながら、これは現実ではない。事実、グリップが最も快適なのは、親指（１０）と人差し指（２０）とが離間して合わされていない状態である。
【００５９】
しかしながら、全てのゴルファーは好適なスイングを望んでいる。この目的のために、ゴルファーは、親指（１０）と人差し指（２０）とを「皮膚接触長さ」（ｄ）にわたって保持することを意識的に練習して実践しなければならない。しかしながら、親指（１０）と人差し指（２０）とを「皮膚接触長さ」（ｄ）にわたって常に保ってグリップを保持することは、いかなる量の練習によっても実現できるものではない。これは、親指（１０）や人差し指（２０）などの小さい筋肉が、背部などの大きい筋肉とは異なり、記憶に応答して動作することは少なく、感覚に応答して動作（運動）するためである。
【００６０】
よって、多くの大きい筋肉は繰り返された動作を長い期間にわたって特徴的に記憶するが、小さい筋肉は如何なる練習量にもかかわらず、特徴的に記憶する能力が不十分である。言い換えれば、大きい筋肉は同じ動作を同じ程度で繰り返すことができるが、小さい筋肉が記憶された動作を繰り返すことは期待できない。その代わり、小さい筋肉は感覚に応答する。
【００６１】
繰り返された練習と記憶に応答して行われる動作とは異なり、感覚に応答する動作を特定の動作に形成することは困難である。従って、グリップは意識的な努力のみによって達成できる。
【００６２】
ここで「意識的な努力」とは、親指（１０）と人差し指（２０）とを共に「皮膚接触長さ」（ｄ）にもたらす努力のみを意味するのではなく、バックスイングのトップにおいて親指（１０）と人差し指（２０）とを「皮膚接触長さ」（ｄ）と共に保つ努力も意味する。
【００６３】
意識的な努力をもってしても、快適さのために親指（１０）と人差し指（２０）を離間しようとする無意識的な動作を意識的に抑圧することには限界がある。
【００６４】
親指（１０）と人差し指（２０）とが「皮膚接触長さ」（ｄ）に対して意識的に合わせられている場合でさえも、ゴルファーの注意がバックスイング動作に集中している際に、親指（１０）と人差し指（２０）とは、より快適な位置に移動し始め、滑り抜けて離間する。バックスイング動作が瞬間的なものであるため、ゴルファーは親指（１０）と人差し指（２０）とが離間したことすら意識しない。
【００６５】
練習では、バックスイングに注意を集中している間にグリップの意識的な自覚を維持することができない。
【００６６】
グローブを着用する場合では、左手の親指（１０）を被覆するグローブの外側が人差し指（２０）を被覆するグローブの外側に触れる際に、親指（１０）と人差し指（２０）とが「皮膚接触長さ」（ｄ）にわたって共に押圧されている感覚がないため、グリップ状態を意識することはさらに困難になる。しかしながら、グローブを着用しない素手の使用時には、親指（１０）と人差し指（２０）との「皮膚接触長さ」（ｄ）にわたる皮膚の接触を感知することが可能である。
【００６７】
理論的には、グローブの着用時よりも素手のほうが、アドレスの位置のみならず、バックスイングのトップにおいても、触感によって親指（１０）と人差し指（２０）間の接触状態を意識的に維持することがはるかに容易である。
【００６８】
ほとんどの場合、グリップは、遠心力のためにクラブが左手から滑り抜けることを防止するように第３指、第４指、及び第５指（小指）指によってしっかりと保持され、第１指と中指（すなわち親指と人差し指）によって軽く保持される。
【００６９】
スイング時に第３指、第４指、及び第５指が作用してクラブが手から滑り抜けることを防止するため、グローブはこの遠心力に摩擦で対向する。グローブとクラブハンドル間の摩擦はスイングの遠心力に対する支持を提供する。
【００７０】
グローブを着用しない場合、摩擦は直接に手とクラブハンドル間に生じる。従って、皮膚の硬化や他の傷が第３指、第４指、及び第５指に現れる。これに加えて、夏季にゴルファーが汗をかく場合、ハンドルは滑りやすくなり、容易にグリップから滑り抜けるようになる。
【００７１】
これらの理由からグローブが着用される。
【００７２】
しかしながら、第３指、第４指、及び第５指とは異なり、親指と人差し指は、遠心力に対して支持を提供する上に何の役割も果たさない。親指と人差し指とが遠心力に抵抗する上に何の役割も果たさないため、親指と人差し指は、第３指、第４指、及び第５指のようにクラブハンドルをしっかりと把持しない。親指と人差し指の唯一の役割は好適なスイングを誘導することである。誘導の役割を果たすため、親指と人差し指はハンドルを穏やかにグリップしなければならない。そのグリップが穏やかであればあるほど、好適なスイングを実現できる可能性が高くなる。
親指と人差し指は、クラブハンドルを穏やかに把持するために合わせられる。
【００７３】
親指と人差し指とがクラブハンドルを穏やかにグリップするためには、グローブを着用しないことが好ましい。これは、素手を用いると、クラブハンドルをグリップする力を触覚によって直接に感知することが可能であるためである。グローブを着用すると、直接皮膚接触はなく、知覚も鈍化し、これにより通常、意識的または無意識的にクラブがしっかりとグリップされることになる。
【００７４】
力が親指と人差し指にかかると、親指と人差し指は不快感を体験し、互いに離間する。これで、グリップが正しくないため、好適なスイングが最終的に不可能になる。
【００７５】
言い換えれば、スイング時は、第３指、第４指、及び第５指がグローブで被覆されることが最適であるが、正しいグリップと好適なスイングのために、親指と人差し指が被覆されないことが最適である。
【発明の開示】
【発明が解決しようとする課題】
【００７６】
従来から一般に使用されているゴルフグローブは、（１）４本の指を全て覆うタイプ、（２）全ての５本の指の第２関節あたりでカットされているタイプ、または（３）親指の第１関節と人差し指の第２関節とでカットされているタイプ、のいずれかである。
【００７７】
親指と人差し指とが離れないようにしなければならないということは、具体的には、人差し指の付け根の底部と親指の第２関節部位とが緊密な皮膚接触状態になっていなければならないことを意味する。この観点から考察すると、グローブのタイプ（２）と（３）は開放タイプであり、ゴルファーが親指と人差し指間に必要な皮膚接触を感知するために必要なものとはかなり異なっている。
【００７８】
従来技術における全てのゴルフグローブは、２層が親指と人差し指間に介在する構造になっているため、皮膚接触は全くない。この構造では、ゴルファーはその親指と人差し指とが互いに押し付けられているかどうかを感知することもできない。
【００７９】
ゴルファーが親指と人差し指とを離れないようにしなければならないことを意識している場合でさえも、皮膚接触の欠如のために親指と人差し指はバックスイングの過程で容易に滑って離間し得る。
【００８０】
従って、親指と人差し指とが離れないようにすることによって正しいスイングを取得するアプローチは、人体の動作が繰り返しによる記憶に基づくものではなく、意識的な知覚によって生じるため、ゴルファーが直接的な感覚によってその皮膚接触を知らされるようなアプローチと言える。
【００８１】
上記では、左手の親指と人差し指間のグリップが考察されている。
【００８２】
以下に、左手の親指と右手間の関連性を考察する。
【００８３】
好適なスイングでは左右の手が１つに合わせられる。左手の親指と右手とが合うようにするために、左手の親指は右手にしっかりと挿入されその生命線に合うようにしなければならない。
【００８４】
その場合、左手の親指と右手の生命線間の直接皮膚接触により皮膚接触感が得られる。
【００８５】
しかしながら、従来技術のグローブでは左手の親指が覆われることから右手の生命線との皮膚接触がないため、この感覚を感じることができない。また、感覚を感じることができる場合でさえも、それは長く続かない。これは、皮膚接触感は筋肉の記憶からではなく、感覚から得られるためである。問題は、これらが大きい筋肉でないため、皮膚接触感は容易に失われてしまうことにある。
【００８６】
皮膚接触感が失われる場合、より大きい力がグリップにかかってしまうか、またはグリップの位置がバックスイングのトップで移動してしまい、好適なスイングは不可能になる。
【００８７】
左手の親指と右手の生命線間の皮膚接触感の欠如の主な原因が左手の親指を被覆するグローブにある限り、一解決策は左手の親指からグローブを除去することである。
【００８８】
左手の親指と右手の生命線とが直接皮膚接触状態にある場合、皮膚接触感はスイング中でさえも容易に失われない。グローブを着用しない左手を右手と直接に皮膚接触させた実験を行った結果、その皮膚接触感は、アングローブの場合よりも長く持続することを見出した。
【００８９】
従って、左手と右手とを１つに合わせるための最適な選択は、左手にグローブを着用しないか、または左手のグローブの親指を被覆する部分を除去するかのいずれかである。
【００９０】
しかしながら、グローブを左手に着用しない場合には、第３指、第４指及び第５指が負傷する可能性が高く、しかも、夏季では手のひらに汗をかき、クラブが手から滑り抜ける原因となる。
【００９１】
従って、左手にグローブを着用しなければならない限り、好適なスイング、優れたグリップ、及び左手と右手間の皮膚接触感を誘発できるグローブの必要性がある。
【００９２】
かかるゴルフグローブは本明細書に開示されている。
【００９３】
好適なスイングを得るための正しいグリップが、人差し指の付け根の底部と親指の第２関節部位とが互いに接触するようなグリップである限り、ゴルファーがこの接触状態を長時間意識し続けるために最も重要なことは、食指の付け根の底部と親指の第２関節とが直接皮膚接触状態にあることである。
【００９４】
この目的のために、本発明は、親指と人差し指間の低点から始まり、親指の周囲またはその下にまで続く部分に親指の被覆部部分がないように構成される。
【００９５】
覆われていない左手の親指が食指の付け根の底部の被覆部に十分皮膚接触する場合、左手の親指から感じられた皮膚接触の感覚は時間が経過するにつれて増す。親指によって感じられた皮膚感覚は左手全体に広がり、あたかも左手にグローブを着用していないかのように感じるようになる。
【００９６】
この左手の親指から左手の全域への感覚の伝達は、手に特有の奇跡的な特性であり、その他に説明する言葉はない。
【課題を解決するための手段】
【００９７】
本発明は、親指を被覆する部分が省略されたグローブからなり、正しいグリップとその必然的結果としての好適なスイングとを誘発するゴルフグローブを提供する。
【００９８】
その開口部は、親指の周囲またはその下まで続き、親指と人差し指とが広げられるときに親指と人差し指間に形成された低点の中心に位置決めされるように形成した。
【００９９】
加えて、皮膚感覚をさらに高めるために、皮膚接触穴を「皮膚接触長さ」（ｄ）に対応する人差し指の付け根の底部に形成した。
【０１００】
クラブ（４０）の遠心力によって伸長されるグローブ部、すなわち「Ｐ」領域は全て優れた弾性と可撓性を持つスパンデックスで構成したので、直ちにその元の状態に戻り、グローブ本体も常にその原形を保つ。
【０１０１】
そのため、本明細書で開示する発明は、皮膚感覚によって正しいグリップを保つことができ、その結果として、好適なスイングを可能にする正しいグリップと好適なスイングのためのゴルフグローブを提供する。
【発明の効果】
【０１０２】
本発明は、親指と人差し指間の低点で始まり親指の周囲またはその下まで続く親指を被覆する部分が除去されているグローブを提供することによって、親指と人差し指とが「皮膚接触長さ」（ｄ）に対して皮膚接触状態にあることをゴルファーに感知できるようにし、しかも、その知覚がバックスイングによるアドレスの位置からインパクトの瞬間に至るまで継続できるようにすることによって、好適なスイングを可能にする。
【０１０３】
加えて、「皮膚接触長さ」（ｄ）に対応し、親指と人差し指との直接皮膚接触を許容する皮膚接触穴を人差し指の付け根の底部に形成することで、ゴルファーが人差し指の付け根の底部と親指の第２関節間の皮膚接触を意識し続けられるようにすることによって、さらに好適なスイングも可能にする。
【０１０４】
親指開口部の下にある「Ｐ」領域全体はスパンデックスまたは２層構造を形成するスパンデックスと皮革の混合物で形成されるので、親指開口部の周りの被覆部のいかなる伸長または膨張も防止されるのみならず、ゴルフクラブの遠心力によって「Ｐ」領域が引っ張られる場合でさえも、本グローブは元の状態に戻り、この効果により、本グローブは伸長なしにその元の状態を常に保つことができる。
【０１０５】
加えて、本発明には、その材質がスパンデックスであるために親指と人差し指間の領域が快適であり、左手の親指に触れる部分にはソフト感があって異質感がないという有用な効果があり、また、縫合部は親指と人差し指間の低点（Ｏ）から人差し指に向かって形成されて伸長を防止し、これらの伸長防止縫合は親指と人差し指間のグローブのスパンデックス被覆部の親指方向または親指の下方向への伸長を防止する。
【図面の簡単な説明】
【０１０６】
【図１】本発明の正しいグリップと好適なスイングのためのゴルフグローブを用いて行われるグリップを示す概略斜視図である。
【図２】本発明の別の好適な実施形態に従って構築されたゴルフグローブにより行われるグリップを示す概略斜視図である。
【図３】親指と人差し指が広げられた状態の左の手のひら（ＬＦ）を示す斜視図である。
【図４】親指と人差し指が広げられた状態の左の手の甲（ＬＢ）を示す斜視図である。
【図５】図５は、正しいグリップのために親指と人差し指とが皮膚接触している状態の左右の手を示す斜視図である。
【図６】正しいグリップ状態にある図５の左右の手を示す斜視図である。
【図７】正しいグリップ位置にある左手を示す斜視図である。
【図８】グリップ位置にある本発明のゴルフグローブを示す斜視図である。
【図９】その「Ｐ」領域全体が皮革からなる本発明のゴルフグローブの手のひら側を示す斜視図である。
【図１０】その「Ｐ」領域全体が皮革からなる本発明のゴルフグローブの手の甲側を示す斜視図である。
【図１１】その「Ｐ」領域全体がスパンデックスからなる本発明の別の好適な実施形態に従って構築されたゴルフグローブの手のひら側を示す斜視図である。
【図１２】その「Ｐ」領域全体がスパンデックスからなる本発明の別の好適な実施形態に従って構築されたゴルフグローブの手の甲側を示す斜視図である。
【図１３】正しいグリップと好適なスイングのためにその「Ｐ」領域がスパンデックスからなり、その「Ｐ１」領域が皮革からなる２層構造の本発明の好適な追加実施形態に従って構築されたゴルフグローブの手のひら側の斜視図である。
【図１４】その「Ｐ」領域がスパンデックスからなり、その「Ｐ１」領域が皮革からなる２層構造を持つ本発明のゴルフグローブの好適な追加実施形態の手の甲側の斜視図である。
【図１５】２層構造に切り込み部が設けられた、図１３に示した本発明の好適な実施形態の斜視図である。
【図１６】図１５の２層構造の「Ｐ１」領域と「Ｐ２」領域を分離する平面を示す斜視図である。
【発明を実施するための最良の形態】
【０１０７】
以下に本発明の構成と図を詳細に説明する。
【０１０８】
本発明の正しいグリップと好適なスイングのためのゴルフグローブは、親指部分が被覆部で覆われないように開口部（３２）を形成してなる（図１と図２を参照）。特に、これは正しいグリップと好適なスイングを実現するためのものであることから、親指を被覆する部分の開口部の位置が最重要である。
【０１０９】
人差し指（２０）の付け根の底部と親指（１０）の第２関節とが合わせられるときのみに、正しいグリップと好適なスイングが可能であり、親指（１０）の被覆がない部分の位置は、人差し指（２０）の付け根の底部と親指（１０）間で主要皮膚接触が行われる領域である。
【０１１０】
親指を被覆する部分が除去される位置が上記のようである場合、親指の基底面がクラブ（４０）のハンドルに接触する面積も増し（図８を参照）、その皮膚感覚を高めるのみならず、正しいグリップと好適なスイングとを助長する。
【０１１１】
その場合、左手の親指（１０）と人差し指（２０）とが広げられるとき（図３と図４を参照）、親指の被覆部（３０）が欠如しているグローブの開口部を、親指（１０）の周囲に合わせるか、またはそれよりも下に、親指（１０）と人差し指（２０）間の低点（Ｏ）に形成することが最善である。（図１０、図１２、及び図１４を参照）
【０１１２】
親指を被覆する部分が欠如しているグローブ（３０）の開口部（３２）の縁部が親指の周囲またはその下に位置付けられるという上記の記述は、前記開口部の縁部を親指の周囲方向とその手首方向間の任意の位置に位置付けることができることを示す。
【０１１３】
しかしながら、全ての人々左手が同じサイズであるとは限らない。全てのグローブが同じサイズと形状で作られたとしても、ユーザーの手のサイズと形状に応じて、その低点（Ｏ）の位置は異なってくる。
【０１１４】
この観点から、親指と人差し指間の低点（Ｏ）への言及はこの点の近傍面積を実際に示す。
【０１１５】
左手の親指（１０）とクラブ（４０）のハンドル間の皮膚接触面積が大きければ大きいほど、正しいグリップと好適なスイングのための感覚を得るのに適する。従って、ゴルフグローブの外部に問題がない限り、グローブの甲部における省略部分の位置に問題はない。グローブの外側に関しては、省略部分は、手の甲（ＬＢ）の親指（１０）領域で骨が突出する領域、すなわちＳ２領域またはその下にあることが好ましい（図１０、図１２、及び図１４を参照）
【０１１６】
好適なスイングを得るための正しいグリップは、ゴルファーが人差し指（２０）の付け根の底部と親指（１０）の第２関節間の皮膚接触を意識し続けることを必要とするので、小径の皮膚接触穴（３５）が人差し指（２０）の付け根の底部に形成されることも好ましい。（図２を参照）皮膚接触穴（３５）と親指（１０）が直接皮膚接触するため、ゴルファーが人差し指（２０）の付け根の底部と親指（１０）の第２関節との接触を意識し続けることが可能である。
【０１１７】
その効果が増す限り、親指（１０）との皮膚接触面積大きければ大きいほど、前述の皮膚接触穴（３５）の形状とサイズがこれに対して適正である限り、厳密なサイズは重要ではない。
【０１１８】
その反面、クラブ（４０）の遠心力のために、追加仕上げなしにはグローブ（３０）における開口部の縁部（３２）の伸長と膨張を防止することは不可能であり、加えて、グローブの被覆部は、手のひらに向かって引っ張られ、その手のひらの被覆部も伸長される。これは、通常のゴルフグローブは非弾性の皮革または非弾性の布または合成樹脂からなるためである。
【０１１９】
特に、親指の被覆部（３０）が欠如しているグローブの手のひら部が伸長される場合、正しいグリップを保つことは不可能である。これは、伸長された手のひらの被覆部がクラブ（４０）をグリップする過程で折り重なり、次いで、左手の親指上で順次引っ張られることに起因する。左手の親指が自由でない場合、正しいグリップは明らかに不可能である。
【０１２０】
「Ｐ」領域は、クラブ（４０）の遠心力によって伸長されるグローブ（３０）の主要領域である。グローブが親指部なしであることから、その伸長現象は５本指型のグローブよりも激しい。ゴルフグローブの伸長は、正しいグリップが不可能であるために好適なスイングを困難にするばかりでなく、激しい伸長で起こる折り重なりに起因する手のひらや手指の創傷や皮膚の硬化につながる。
【０１２１】
「Ｐ」領域は、親指の中心に位置決めされ、手のひらの肉厚部分から親指の付け根に沿って手の甲に伸長する領域である。（図９〜図１５を参照）最も伸長する傾向がある領域はまさにこの手のひらの肉厚領域である。クラブ（４０）から遠心力が繰り返して付与されると、皮革の伸長は手のひらの肉厚領域に累積する。
【０１２２】
この伸長の累積は皮革の弾性特性の欠如に起因する。
【０１２３】
本発明では、「Ｐ」領域をその元の状態に復元するために優れた弾性と可撓性を持つスパンデックス（３９）を使用して皮革に弾性を提供する。もとより、本発明において使用されるグローブ（３０）の材質は便宜上皮革として記載したが、同じコンセプトは、弾性や可撓性が欠如する任意の材料を使用するグローブにも同様に適用する。
【０１２４】
スパンデックスは優れた可撓性と弾性を有する薄い織布である。
【０１２５】
「Ｐ」領域全体はスパンデックス（３９）で形成され、グローブの他部分とともに縫合される。スパンデックス（３９）のために、領域接触左手の親指に触れる領域はソフト感があり、異質感はない。加えて、「Ｐ」領域全体はスパンデックス材料（３９）であるため、「Ｐ」領域が、クラブ（４０）の遠心力によって伸長される場合でさえも、直ちにその元の非伸長状態に戻り、常に保つその原形。
【０１２６】
スパンデックス（３９）と皮革の２層構造が、「Ｐ１」領域全体を被覆するスパンデックス材料（３９）の上に親指開口部（３２）の底部に沿ってグローブ（３０）の皮革を追加することによって形成される場合でさえも弾性は維持される。皮革層が形成される部分は、図１３と図１５おける「Ｐ１」領域に示す通りであり、直接に暴露されたスパンデックス材料の部分は「Ｐ２」領域に示す通りである。
【０１２７】
「Ｐ１」領域と「Ｐ２」領域の両方が可撓性と弾性を有するスパンデックスを基層として持つことから、「Ｐ１」領域と「Ｐ２」領域の厳密なサイズは、スパンデックス（３９）弾性が保たれる限り重要でない。
【０１２８】
加えて、弾性向上させるために切り込み部（３１）を「Ｐ１」領域の皮革から形成してもよい。（図１５と図１６を参照）さらに、１〜３の縫い目数からなる伸長防止縫合部（３７ａ）を親指（１０）と人差し指（２０）間の低点（Ｏ）に並行して人差し指（２０）に向かって形成することも好ましい。これは、伸長防止縫合部（３７ａ）のために、親指（１０）と人差し指（２０）間に親指の方向またはその下の方向に形成された、グローブ（３０）を被覆するスパンデックス（３９）の伸長を防止することによって、親指（１０）と人差し指（２０）とが共により快適に支えられるようにするためである。
【産業上の利用可能性】
【０１２９】
本発明は、親指と人差し指とが広げられるときに形成される親指と人差し指間の低点の中心に位置決めされた親指の周囲またはその下に、「皮膚接触長さ」（ｄ）に対応して人差し指の付け根の底部に形成された皮膚接触穴を介して、親指と人差し指間の直接皮膚接触に起因して人差し指の付け根の底部が親指の第２関節に接触することをゴルファーがより長く意識し続けることを可能にすることによって、より好適なスイングを可能にする効果を有する。
【０１３０】
親指開口部のベースの周りの「Ｐ」領域全体がスパンデックスまたはスパンデックスと皮革からなる２層システムのいずれかで構成されることから、親指開口部の周りの被覆部のいかなる伸縮も防止されると共に、「Ｐ」領域がゴルフクラブの遠心力によって引っ張られる場合でさえも、伸長されていない元の状態に復帰し、常にグローブの原形を保つ。
【０１３１】
加えて、本発明には、その材質がスパンデックスであるために親指と人差し指間の領域が快適であり、左手の親指に触れる部分にはソフト感があって異質感がないという有用な効果があり、また、縫合部は親指と人差し指間の低点（Ｏ）から人差し指に向かって形成されて伸長を防止し、これらの伸長防止縫合は親指と人差し指間のグローブのスパンデックス被覆部の親指方向または親指の下方向への伸長を防止する。
【符号の説明】
【０１３２】
Ｌ  左手、ＬＦ  左の手のひら、ＬＢ  左手の甲、Ｒ  右手、ＲＦ  右の手のひら、ＲＢ  右手の甲、１０  親指、２０  人差し指、Ｏ  低点、Ｓ１  親指の第１関節、Ｓ２  親指の第２関節、Ｓ３  人差し指の第３関節、Ａ  手のひらの肉厚領域、ｄ  皮膚接触長さ、３０  グローブ、３１  切り込み部、３２  開口部、３３  親指の被覆部、３５  皮膚接触穴、３７  縫合部、３７ａ  伸長防止縫合部、３９  スパンデックス、４０  クラブ。
【図１】
2010511470.tif 000003
【図２】
2010511470.tif 000004
【図３】
2010511470.tif 000005
【図４】
2010511470.tif 000006
【図５】
2010511470.tif 000007
【図６】
2010511470.tif 000008
【図７】
2010511470.tif 000009
【図８】
2010511470.tif 000010
【図９】
2010511470.tif 000011
【図１０】
2010511470.tif 000012
【図１１】
2010511470.tif 000013
【図１２】
2010511470.tif 000014
【図１３】
2010511470.tif 000015
【図１４】
2010511470.tif 000016
【図１５】
2010511470.tif 000017
【図１６】
2010511470.tif 000018
【国際調査報告】
2010511470.tif 000019
2010511470.tif 000020